(57)【要約】  同軸コネクター(10)は内側導体(50)と外側導体(54)を有するケーブル(16)を受け入れるよう構成された内部ボア(62)を有する本体要素(12)を含む。中心導体要素(20)はケーブル(16)の内側導体(50)と係合するよう構成される。接地スライド(18)は中心導体要素(20)上に延び、前端部(30)と後端部(32)を有し、後端部(32)は本体要素(12)上で軸方向に移動可能であるよう本体要素(12)に係合する。スプリング(36)は本体要素(12)の外面と係合すると共に本体要素(12)に対して接地スライド(18)を付勢するためにその後端部に当接するよう構成される。導電性スリーブ(14)は本体(12)に圧力嵌めされるよう構成された後端部(32)を有する。スリーブ(14)は本体要素(12)と共にスプリング(36)と接地スライド(18)を捕捉するよう構成され、本体要素(12)との電気的接続を提供するためにスライド(18)の前端部(30)と接触する複数のスプリングフィンガー(92)をその前端部(30)に有する。
2020533736.tif 000002
【特許請求の範囲】
【請求項１】
同軸コネクターであって、
内側導体および外側導体を有するケーブルを受け入れるように構成された内部ボアを有する本体要素と、
前記本体要素によって受け入れられた前記ケーブルの内側導体と係合するように構成された中心導体要素と、
前記中心導体要素の上に延在するように構成されかつ前端部および後端部を有する管状の接地スライドであって、前記スライドの前記後端部は、前記本体要素の一部分上で軸方向に移動できるように前記本体要素の前記一部分と係合する接地スライドと、
前記本体要素の外面と係合するように構成されると共に前記本体要素に対して前記接地スライドを付勢するために前記接地スライドの前記後端部に当接するように配置されたスプリングと、
前記本体要素に圧力嵌めされるように構成された後端部を有する導電性スリーブであって、前記本体要素と共に、前記スプリングおよび接地スライドを捕捉するようにさらに構成された導電性スリーブと
を具備し、
前記導電性スリーブは、前記コネクターの前端部において前記本体要素との電気的接続を提供するために、移動可能な前記接地スライドの前記前端部と接触するように構成された複数のスプリングフィンガーを、その前端部に含む、同軸コネクター。
【請求項２】
前記中心導体要素は前記コネクター内でスプリング付勢される、請求項１に記載の同軸コネクター。
【請求項３】
前記接地スライド内に配置された絶縁中心支持体をさらに備え、前記中心導体要素は、前記接地スライド内で前記中心導体要素を中心合わせするために前記中心支持体を通って延在する、請求項１に記載の同軸コネクター。
【請求項４】
前記接地スライドの前記後端部は前記接地スライドから半径方向外向きに延在する環状隆起部を含み、前記導電性スリーブは、半径方向内向きに延在すると共に前記接地スライドを前記コネクター内で固定するために前記環状隆起部と係合する肩部を含む、請求項１に記載の同軸コネクター。
【請求項５】
前記接地スライドと係合させられる前記本体要素の前記一部分が、前記接地スライドと前記本体要素との間に電気接続を提供するために前記本体要素から半径方向外向きに延在する環状隆起部を含む、請求項１に記載の同軸コネクター。
【請求項６】
前記接地スライドと係合させられる前記本体要素の前記一部分は、前記本体要素に対して半径方向外側に曲がる複数のスプリングフィンガーを含む、請求項５に記載の同軸コネクター。
【請求項７】
前記スプリングフィンガーが前記環状隆起部を形成する、請求項６に記載の同軸コネクター。
【請求項８】
前記中心導体要素は前記ケーブルの内側導体を受け入れるためのボアを含み、かつ、前記ボアを取り囲むと共に前記ケーブルの前記内側導体を受け入れるように構成された中心開口を含む絶縁ディスク要素をさらに具備する、請求項１に記載の同軸コネクター。
【請求項９】
前記中心導体要素は、スプリング付勢された前記中心導体要素を形成するために、その中でスプリング付勢ピンを捕捉するように構成された前部および後部を含む、請求項２に記載の同軸コネクター。
【請求項１０】
同軸ケーブルアセンブリであって、
内側導体と外側導体とを有するケーブルと、
前記ケーブルの内側および外側導体を受け入れるように構成された内部ボアを有するコネクター本体要素であって、前記外側導体は前記コネクター本体要素と電気的に結合されるコネクター本体要素と、
前記内側導体と係合するように構成された中心導体要素と、
前記中心導体要素の上に延在するように構成されかつ前端部および後端部を有する管状の接地スライドであって、このスライドの前記後端部は、前記本体要素の一部分上で軸方向に移動可能であるように前記コネクター本体要素の前記一部分と係合する接地スライドと、
前記コネクター本体要素の外面と係合するように構成されると共に、前記コネクター本体要素に対して前記接地スライドを付勢するために前記接地スライドの前記後端部に当接するように配置されたスプリングと、
前記本体要素上に圧力嵌めされるように構成された後端部を有する導電性スリーブであって、前記コネクター本体要素と共に、前記スプリングおよび前記接地スライドを捕捉するようにさらに構成された導電性スリーブと
を具備し、
前記導電性スリーブは、前記コネクター本体要素の前端部において前記コネクター本体要素との電気接続を提供するために、移動可能な前記接地スライドの前端部に接触するように構成された複数のスプリングフィンガーを、その前端部に含む、同軸ケーブルアセンブリ。
【請求項１１】
前記中心導体要素は、前記コネクター本体要素内でスプリング付勢される、請求項１０に記載の同軸ケーブルアセンブリ。
【請求項１２】
前記接地スライド内に配置された絶縁中心支持体をさらに備え、前記中心導体要素は、前記接地スライド内で前記中心導体要素を中心合わせするために前記中心支持体を通って延びる、請求項１０に記載の同軸ケーブルアセンブリ。
【請求項１３】
前記接地スライドの前記後端部は、前記接地スライドから半径方向外向きに延びる環状隆起部を含み、前記導電性スリーブは、半径方向内向きに延在すると共に前記コネクター本体要素内で前記接地スライドを固定するために前記環状隆起部と係合する肩部を含む、請求項１０に記載の同軸ケーブルアセンブリ。
【請求項１４】
前記接地スライドと係合させられた前記コネクター本体要素の前記一部分は、前記接地スライドと前記コネクター本体要素との間に電気接続を提供するために前記本体要素から半径方向外向きに延在する環状隆起部を含む、請求項１０に記載の同軸ケーブルアセンブリ。
【請求項１５】
前記接地スライドと係合させられた前記本体要素の前記一部分は、前記本体要素に対して半径方向外向きに曲がる複数のスプリングフィンガーを含む、請求項１４に記載の同軸ケーブルアセンブリ。
【請求項１６】
前記スプリングフィンガーは前記環状隆起部を形成する、請求項１５に記載の同軸ケーブルアセンブリ。
【請求項１７】
前記中心導体要素は、前記ケーブルの前記内側導体を受け入れるためのボアを含み、かつ、前記ボアを取り囲むと共に前記ケーブルの前記内側導体を受け入れるように構成された中心開口を含む絶縁ディスク要素をさらに備える、請求項１０に記載の同軸ケーブルアセンブリ。
【請求項１８】
前記中心導体要素は、スプリング付勢された前記中心導体要素を形成するために、その中でスプリング付勢ピンを捕捉するように構成された前部および後部を含む、請求項１１に記載の同軸ケーブルアセンブリ。
【発明の詳細な説明】
【技術分野】
【０００１】
本発明は、概して、電気信号およびデータ信号を取り扱うためのケーブルおよびコネクターに関し、具体的には、圧縮可能な導体コンポーネントを有するコネクターに関する。
【背景技術】
【０００２】
ＲＦケーブルおよび関連するコネクターは、試験およびデータ信号送信を含む、さまざまな異なる用途で使用されている。そうした用途では、回路基板の信号トレースおよび／またはその他の嵌合コネクターと接続するためのコネクターが必要になることがある。さらに、さまざまな用途では、例えば電子電源、センサー、アクティベーター、回路基板、バス配線、ワイヤーハーネス、そして制御信号および電力信号の形態で電気を輸送するために必要な電気経路を提供するためのその他の要素間でなされなければならない電気接続用の接続面に高密度コネクターが含まれることがある。特定の環境および用途で動作するための信号の完全性および信頼性の要件は厳しいため、優れた接地および信号の分離が重要である。これは、特に高周波ＲＦ用途において顕著である。また、そのようなコネクターとその内部の接点は、機構、振動、広い温度範囲など、広い周波数範囲および多種多様な環境条件で動作する必要がある。
【０００３】
さまざまな解決策が提案されてきたが、それらはしばしば複雑であり、多数の部品を必要とし、したがって高価である。さらに、特定の解決策は、その用途とパッケージ方法とが制限されており、このため、他のコネクターとのみ、あるいは回路基板のシナリオ内でのみ結合可能である。このように、それらは、サポートできる信号用途に制限があり、ＲＦ信号のみに、または電力信号用途のみに専用化されることがある。その上さらに、既存の解決策では、多くの場合、信号結合インターフェースでの広い許容差の変動に対処することができない。
【０００４】
３６０度の接地を提供するために使用されるスプリングコンポーネントは、しばしば、調和しないため、圧縮可能なコンポーネントを実現する接点の例もまた不足している。圧縮可能またはスプリング付勢された接地要素を実現するこれらのコネクターは、実際のスプリング要素を接地経路に組み込むため、スプリングが曲がるときにインピーダンスの変動が生じる。他の設計は、圧縮可能なインターポーザーコンポーネントを使用して許容差の問題に対処し、その内部に導電性要素を含むエラストマー層を備える。このような設計では、適切な使用のために大きなクランプ力が必要となるが、それでも接地信号の完全性に不整合が生じることがある。
【０００５】
したがって、一貫した接地信号の完全性ならびに３６０度の接地を提供するＲＦ信号処理用のインラインコネクターを提供することが望ましい。拡張性があり、パッケージ化されることが、そしてハイブリッドＲＦおよび電力コネクターのために使用することができるコネクターを提供することがさらに望ましい。さらに、広い許容差の変動に対処し、そしてそれを管理しながら、基板対基板、ケーブル対基板、そしてケーブル対ケーブル用途をサポートするように動作するコネクター設計が望ましい。
【発明の概要】
【課題を解決するための手段】
【０００６】
同軸コネクターは、内側導体および外側導体を備えたケーブルを受け入れるように構成された内部ボアを有する本体要素を含む。スプリング付勢された中心導体要素が、ケーブルの内側導体と係合するように構成される。管状の接地スライドは、中心導体要素の上に延在するように構成され、当該スライドの後端部は、本体要素上で軸方向に移動できるように本体要素と係合する。スプリングは、本体要素の外面に係合するように構成され、本体要素に対して接地スライドを付勢するために接地スライドに当接するように配置される。導電性スリーブが本体に圧力嵌めされ、スリーブは本体要素と共にスプリングおよび接地スライドを捕捉する。導電性スリーブは、コネクターの前端部において本体要素との電気的接続を提供するために、可動接地スライドの前端部に接触するように構成された複数のスプリングフィンガーを、その前端部に含む。
【０００７】
本明細書中に組み込まれ、その一部を構成する添付図面は、本発明の実施形態を示し、上記の本発明の一般的な説明および以下の詳細な説明と共に本発明を説明するのに役立つ。
【図面の簡単な説明】
【０００８】
【図１】本発明の一実施形態によるコネクターの斜視図である。
【図２Ａ】図１に示される本発明の実施形態によるコネクターの要素の分解図である。
【図２Ｂ】図１に示される本発明の実施形態によるコネクターの他の要素の分解図である。
【図３】図１に示される本発明の実施形態によるコネクターの部分断面側面図である。
【図４Ａ】図１に示される本発明の実施形態によるコネクターの部分断面側面図である。
【図４Ｂ】図１に示される本発明の実施形態によるコネクターの部分断面側面図である。
【図５】図１に示される本発明の実施形態によるコネクターを利用するコネクターセンブリの斜視図である。
【発明を実施するための形態】
【０００９】
本発明は、先行技術におけるさまざまなニーズに対処し、スプリング付勢される中心導体要素およびケーブルの外側導体によって提供される接地信号の電気的反射であるスプリング付勢されるスライドの両方のインライン圧縮を実現するＲＦコネクターを提供することにより一般的な先行技術を改善する。独立してスプリング付勢される中心導体要素および接地スライドは、信号をプリント回路基板上の導電パターンまたは信号トレースに、または別の嵌合ケーブルコネクターの対応する要素に直接伝える。このようなインラインコネクターは個別に使用でき、高密度のカスタムレイアウトまたは一般的に利用可能な産業用コネクタープラットフォームにパッケージ化することもできる。ここで説明するコネクターおよびケーブルは、ＲＦ信号、特に高周波ＲＦ信号に適している。
【００１０】
図１を参照すると、本発明の一実施形態によるコネクター１０が示されている。コネクター１０は、ケーブル１６を受け入れるように構成された本体要素１２を含む。本体要素は、例えばベリリウム銅、ニッケル銀、青銅などの適切に堅牢な金属材料で作られる。一般に、ケーブルは、内側導体および外側導体を有する同軸ケーブルである。本体要素は、ケーブルおよび露出した内部および外側導体５０，５４を受け入れ、本明細書で説明するようにケーブルと電気的に結合し、コネクターの端部に、接地信号を含む導体の信号を提供する。内側導体５０は、コネクターのスプリング付勢された中心導体要素２０とつながり、一方、ケーブルの外側導体は、本体要素１２およびスプリング付勢された接地スライド１８と電気的につながる。図１に示すように、中心導体要素２０および接地スライド１８は、適切な導電パターンまたは他のコネクターと係合するために、コネクター１０の先端部から出現する。中心導体要素２０および接地スライド１８の両方は、本発明の一つの特徴に従って圧縮可能である。
【００１１】
図１および図３を参照すると、導電性スリーブ１４は、接地スライドおよび中心導体要素を覆い、本明細書で説明されるように本体要素１２の端部とつながる。本発明の一特徴によれば、導電性スリーブは、コネクターの先端部２２において外部に接地スライド１８との電気的接触を提供し、したがって、コネクターの端部の非常に近くで接地信号を提供する。これにより、より強固な接地信号またはケーブルの外側導体が提供される。さらに、従来技術の欠点に対処するために、導電性スリーブは、図示されるように、接地スライド１８を付勢しているスプリング要素を通過する接地経路を排除する。開示された実施形態は、半剛性、順応性および可撓性のＲＧスタイルケーブルを含む複数のサイズおよび構造のケーブルを受け入れるために適切なサイズとすることができる。したがって、ケーブル１６とその構造は制限されない。さらに、コンポーネントの特定の寸法および管状の形状は、本発明を限定するものではない。例えば、本発明は、.０３４〜.１４１サイズのケーブルに使用できる。このように、本体要素、接地スライドおよびスリーブの直径および外寸およびその他の寸法は、特定のサイズのケーブルおよび用途に適合させることができる。また、所望の周波数応答およびインピーダンスに応じて、本明細書で説明する中央支持要素の形状および位置ならびに接地スライドおよびスリーブの端部形状の先端形状は、ケーブルのために望ましい周波数応答およびインピーダンス値を達成するために変更することができる。
【００１２】
図２Ａおよび図２Ｂは、図示された実施形態に組み込まれるコネクター１０のさまざまなコンポーネントおよび要素の分解図を示している。より具体的には、図２Ａは、本発明の中心導体要素２０を形成するコンポーネントを示し、互いに嵌合して単一要素を形成するように構成される前部３０および後部３２を含む。部分３０，３２は共同で、スプリング付勢されるか、あるいはスプリング装填されたピン要素３４を収容する。このようなスプリング付勢ピンとしては、米国テキサス州アービング（Irving）のプラストロニクス（Plastronics）から市販されているＨピンが挙げられる。ピンは、ベリリウム銅などの適切な導電性材料から形成することができる。一実施形態では、スプリング付勢ピン３４は、一緒に、そして分離してスライドすると共に両者間にスプリング３６を捕捉する二つの相互作用する半体３４ａ，３４ｂを含むことができ、これによってスプリング付勢ピン３４の対向する端部３５ａ，３５ｂのそれぞれにスプリング付勢を提供する。図２Ａに、そして図３の断面図にも示されるように、スプリング付勢ピン３４は、それ自体に形成されたボア３１を有する前部３０内に嵌合する。先端３５ａは、前部に形成された適切な開口３８を通して露出させられる。後部３２の端部４０は他のピン先端３５ｂと係合し、そしてまた、前部３０のボアの受け入れ端部内に嵌り込み、これによってボアを密閉すると共にスプリング付勢ピン３４を閉じ込める。先端３５ｂおよび後部３２との係合はまた、中心導体要素２０のための電気的接続を提供する。肩部４２，４４が中心導体要素の後部３２に形成され、肩部４２は前部３０の端部に当接してボア３１を密閉すると共にピン３４を閉じ込める。
【００１３】
後部３２はまた、図２Ａ、図３に示されるように、ケーブル１６の内側導体５０を受け入れると共に、これと係合する中空ボア４６を含む。一実施形態では、ケーブル１６の内側導体またはワイヤ５０を、ボア４６へのハンダのフローアクセスを提供する適切な開口５４を経由するなどしてボア４６内に挿入し、ハンダ付けすることができる。このようにして、中心導体要素２０はケーブル１６の内側導体に電気的に接続され、信号はスプリング付勢ピン３４のピン先端３５ａに提供される。ケーブル１６はまた、本明細書で説明されるように、コネクター１０の本体要素１２と結合する、図３に示されるような外側導体５４を含む。後部３０の端部４０と前部３０のボア３１との間の係合は、開示された実施形態では圧入によるものであるが、他の結合手段も同様に使用可能である。中心導体要素２０を形成するために、スプリング付勢ピン３４は前部３０内に投入され、これは続いて、図３に示されるように単一の中心導体要素を提供するために後部３２に圧力嵌めされる。
【００１４】
ここで図２Ｂを参照すると、本発明のコネクターの他の要素が分解図で示されている。ケーブル１６は、内側導体５０および外側導体５４が露出した状態で示されている。一般に、内側導体５０および外側導体５４を分離する適切な誘電材料５５が存在する。さらに、絶縁ジャケット５７が外側導体５４を覆うことができる。コネクター２０と共に利用される図示の同軸ケーブルの構成は本発明を限定するものではない。ケーブル１６を中心導体要素２０で固定し、ケーブル１６の端部と中心導体要素２０とのインターフェースにおいて絶縁状態を実現するために、内側導体が中心導体要素内に挿入されてコネクター１０の中心導体要素２０にハンダ付けされる前に、内側導体５０を受け入れるための中心ボア６２を有する絶縁ディスク要素６０が内側導体上に設置される。ディスク要素６０は、誘電材料などの適切な絶縁材料から形成される。図３に示すように、ディスク要素は、ケーブル１６に対する停止構造体と、本体要素１２のボア６２内でのその係合を提供する。
【００１５】
本体要素１２は、ケーブル１６を受け入れるように構成された内部ボア６２を含む。本体要素１２は、移行部６８を経て前部６６へと移行する後部６４を含む。概して、本明細書で説明するように、本体要素は、ケーブル１６と係合するかあるいはそれを受け入れるように構成された後部６４と、スプリング７０がその上をスライドしなければならない前部６６との間で、下方に向かって直径が先細になる。本体要素１２はまた、本体要素後部６４の表面から半径方向外向きに延在すると共に本体要素１２に圧力嵌めされる導電性スリーブ１４のための停止構造体を提供する環状リング７２を含む。移行部６８はまた、それに対して、コネクター１０の組立時にスプリング７０が圧接させられる外側肩部６９を提供する。
【００１６】
ここで図２Ｂを参照すると、いったん中心導体要素２０がケーブル１６および絶縁ディスク要素６０と固定されると、中心導体要素２０は本体要素１２と結合することができる。移行部６８はまた内側肩部６７を提供するが、これに当接してディスク要素６０が配置される。いったんケーブル１６が中心導体要素２０と共に本体要素１２内に配置されると、ケーブルアセンブリは、ハンダ付けなどによって本体要素１２の後部６４内で固定することができる。ハンダは、開口７４を通って流れ、ケーブル１６の外側導体５４と係合し、これによって本体要素１２とケーブル１６との間の電気的接続を提供することができる。したがって、接地信号などの外側導体５４の信号は、コネクター１０の本体要素１２に対して提供される。一般に、ハンダ付けする前、あるいはさもなければケーブルを本体要素１２に対してより永続的に接続する前に、ケーブルおよびディスク要素６０の端部の位置を特定し、それが正しい位置にあることを確認する必要がある。
【００１７】
図３を参照すると、ケーブル１６および中心導体要素２０が本体１２に固定された状態で、中心導体要素は本体要素のボア６２を通って延び、そしてボアを出てコネクター１０の先端部２２に出現させられる。中心導体７０とコネクターの接地スライド１８との間の適切なインピーダンスのために、絶縁中心支持体８０などの絶縁要素が中心導体要素２０上に配置される。中心支持体８０は中心導体要素に圧力嵌めされ、具体的には、中心導体要素上の環状要素４２，４４間に存在するように圧力嵌めされてもよい（図２Ａ参照）。中心導体要素２５は、中心支持体８０のボア８２を通って嵌合する。外側リム要素８４によって提供される表面などの外側表面は、管状接地スライド１８の内面と係合し、これによって中心導体要素２０をコネクターの接地スライド１８内で適切に位置決めし、あるいは中心合わせする。図３に示されるように、中心導体要素２０の前部３０およびスプリング付勢ピン３４は、接地スライド内で懸垂され、中心に置かれる。
【００１８】
再び図３を参照すると、コネクター１０を構成するために、いったんケーブルおよび中心導体要素が本体要素１２で固定されると、スプリング７０をハウジングに対して取り付けることができる。さらに詳しくは、スプリングは、本体要素に対して接地スライドを付勢するために、本体要素の前部６６の外面に係合すると共に最終的に本体要素の肩部６９および接地スライド１８の後端部に当接するように構成されかつそうした寸法とされる。より具体的には、スプリング７０は、本体要素１２の前部６６上に嵌り、本体要素の後部６４と前部６６との間で移行する移行部６８によって形成される肩部６９に当接する。この場合、概して管状要素である接地スライド１８は、中心導体要素上で延在して本体要素１２と係合する。具体的には、接地スライド１８は前端部１９および後端部２１を有し、ベリリウム銅などの適切な材料から形成することができる。導電性のために、接地スライドを１０〜２０ミクロンの金などの導電性コーティングで覆うこともできる。接地スライドの後端部２１は、本体要素１２上をスライドしかつスプリング７０によって付勢されるために、図３に示されるように、本体要素の一部分と、具体的には本体要素の前部６６と係合する。
【００１９】
本発明の図示の実施形態では、本体要素の前部６６は、本体要素の前部６６の端部から半径方向外向きに延在する環状隆起部の形態のフレア部９０を含む。さらに具体的には、図２Ｂに示されるように、前部６６は複数のスプリングフィンガー９２を含み、環状隆起部はスプリングフィンガーのフレア端部により共同で形成される。個々のフィンガーは、前部６６内に形成されたスロット９３によって形成されてもよい。このように、スプリングフィンガー９２は、環状隆起部９０に近接して本体要素１２と接地スライド１８との間に電気的接触を提供するために、図３に示すように、接地スライド１８の内面に当接するように環状隆起部９０を向けるかまたは付勢する。スプリングフィンガー９２は、プリント回路基板または別のコネクターとの接続およびその後の接地スライド１８およびスプリング７０の圧縮中に、接地スライドが本体要素の前部６６上で、より容易にスライドすることを可能にする。
【００２０】
いったんスプリング７０および接地スライド１８が本体要素１２に設置または係合させられると、導電性スリーブ１４が、接地スライド１８、スプリング７０および本体要素の前部６６の上に嵌め込まれる。より具体的には、導電性スリーブの後端部９６は、本体要素の移行部６８上に圧力嵌めされ、それは、確実な圧力嵌めのために適切な寸法および構成とされている。導電性スリーブの後端部９６は、本体要素の肩部７２に当接する。導電性スリーブ１４の内面は、接地スライド１８と係合し、これを捕捉するための機構を含む。より具体的には、図２Ｂおよび図３を参照すると、接地スライドは、接地スライドの後端部２１から半径方向外向きに延在する環状隆起部１００を含む。一方、導電性スリーブは、半径方向内側に延在する内側肩部１０２を含む。導体スリーブが本体要素に圧力嵌めされると、内向きに延在する肩部が外向きに延在する環状隆起部に係合して、接地スライドをコネクター内で固定すると共にスプリング７０の付勢下でその移動を制限する。すなわち、スリーブおよび接地スライドの協働する要素は、接地スライドがスプリング７０に当接して内向きに押圧されることを可能としながら、導電性スリーブが、接地スライドおよびコネクターから引き出されるのを防止する。導電性スリーブはまた、ベリリウム銅などの導電性材料から形成することができる。一般に、導電性スリーブは、接地スライド１８および内側導体２０がコネクター内で完全に押し込められたときに、それらが導電性スリーブの前端部９８と概ね同一面をなすような長さ寸法を有する。スプリングは、例えばベリリウム銅またはステンレス鋼などの適切な材料から形成することができ、全て導電性のために貴金属コーティングで覆うことができ、通常はリニアインチ当たり６０ないし９０グラムの圧縮力の範囲で、完全に圧縮されたスプリングに力を提供するように構成される。
【００２１】
本発明の一つの特徴によれば、導電性スリーブは、コネクターの先端部２２において外部で接地スライド１８と電気的に接触する。これにより、接地スライドへの即時の接地信号経路が提供される。さらに、本発明のその特徴は、接地信号経路の一部としてのスプリング７０の使用を回避する。より具体的には、図２Ｂおよび図３を参照すると、導電性スリーブ１４の前端部９８は、図３に示すように、接地スライドの前端部に接触するように構成された複数のスプリングフィンガーを含む。スプリングフィンガーのそれぞれは、内向きに延在する環状突起１０４を含み、これによって、接地スライドの前端部１９およびコネクターの前端部に近接した、接地スライドとの複数の接触点を提供する。この接点は、導電性スリーブを通って、直接、本体要素１２に至る接地信号経路を提供し、スプリング７０は接地信号経路の一部を形成しない。さらに、スプリングフィンガーおよび環状突起１０４は、基本的に、接地スライドの周りで３６０°にわたって延在し、これによって、コネクターの先端に、本質的に３６０°の接地信号またはその他の外側導体信号を提供する。スプリングは接経路に含まれていないため、接地スライドの圧縮時にスプリングが曲がっていても、一貫したインピーダンスが提供される。中心導体要素と接地スライドとの間の適切なインピーダンスを維持するために、中心支持体８０の材料および寸法が選択される。本発明の一実施形態では、中央支持体は、例えば、ＰＴＦＥ、ＦＥＰ、ＴＰＸ、ＰＥＥＫ、デルリン、ウルテムなどの適切な誘電材料から形成される。好ましくは、例示された発明に関して言及されるコンポーネントおよびその配向の組み合わせは、ケーブルに５０オームのインピーダンスを提供する。各中心導体要素および接地スライドの独立したスプリング付勢により、プリント回路基板またはその他のケーブルコネクターの許容差の問題と接し、それに対処することに関する、より大きな柔軟性がもたらされる。本明細書で図示および開示されるそのようなインラインＲＦコネクターは、いくつかのカスタムレイアウトで、または既知の産業用コネクターフォーマットへとパッケージ化することができる。コネクターの取り付け面または結合面は、スプリング付勢ピンおよび接地スライドが剛体スリーブの端部まで戻るように後退するために、導電性スリーブの前端部によって画定される。本発明の一実施形態では、スプリング付勢された中心導体は、コネクターの取り付け面から、最小値が０．０１０インチである０.０１０〜０.０３０インチの範囲で突出し、取り付けられたとき相応に縮んでもよい。一方、接地スライドは、取り付け面から０.０２０〜０.０３０インチだけ突出してもよい。
【００２２】
図４Ａおよび４Ｂを参照すると、図４Ａは、接地スライド１８の圧縮を、したがって、コネクターがプリント回路基板またはその他のコネクターと結合するために使用されるときなどのスプリング７０の圧縮を示している。図４Ｂは、両方の導電性コンポーネントが加圧された状態で、コネクターの端部２２に本質的に平坦な面あるいは結合面を提供するための、接地スライドおよび中心導体要素の両方の加圧を示している。
【００２３】
図５は、複数のコネクター１０が高密度アレイでコネクター本体１２０内に組み込まれる、より大きな高密度コネクターフォーマット内に組み込まれる本発明によるＲＦコネクター１０を示す。図５は、本発明のコネクター１０の一つの列を備えたコネクターを示している。Ｘ×Ｙのアレイでは、本発明を使用してコネクターを形成できることが理解される。一般に、個々のコネクター１０の端部は、本体１２０に形成されたボア１２７内に配置され、その後、適切なクランプ要素１２２および留め具１２４によって本体１２０内で固定されてもよい。クリップなどのその他の保持要素を使用して、ケーブルを本体１２０などのコネクター本体内に固定することもできる。コネクターおよびボアは、中心導体要素および接地スライドが回路基板またはその他のコネクターに結合されたときに適切に圧縮されるように面１２８を越えて突出するように、コネクターの端部２２が本体１２０の表面１２８において、ほぼ同一平面上あるように配置されるよう構成される。次に、留め具１２６を利用して、回路基板またはその他のコネクターなどにブロック本体１２０を固定することができる。上述したように、図５に示されるコネクターシステムは、本発明に関する限定ではなく、より多数のあるいはより少数の個々のコネクター１０を図５に示すようにアレイに組み込むことができる。また、本体１２０は、本発明を特定の用途へと具現化するのに必要な適切な形状を有することができる。
【００２４】
本発明を、その実施形態の説明によって例示し、そして実施形態について詳細に説したが、特許請求の範囲をそうした詳細に制限すること、あるいは何らかの方法で限定することは出願人の意図ではない。追加の利点および変更は、当業者には容易に明らかになるであろう。したがって、本発明は、そのより広範な態様において、装置および方法を代表する特定の詳細、および図示および説明される例示的な実施例には限定されない。したがって、出願人の一般的な発明概念の趣旨または範囲から逸脱することなく、そうした詳細から離脱することができる。
【符号の説明】
【００２５】
１０  ＲＦコネクター（同軸コネクター）
１２  本体要素
１４  導電性スリーブ
１６  ケーブル
１８  接地スライド
１９  前端部
２０  中心導体要素
２１  後端部
２２  先端部
３０  前部（前端部）
３１  ボア
３２  後部（後端部）
３４  ピン要素（スプリング付勢ピン）
３４ａ，３４ｂ  半体
３５ａ，３５ｂ  端部（先端部）
３６  スプリング
３８  開口
４０  端部
４２，４４  肩部
４６  中空ボア
５０  内側導体（ワイヤ）
５４  外側導体
５５  誘電材料
５７  絶縁ジャケット
６０  絶縁ディスク要素
６２  内部ボア
６４  本体要素後部
６６  前部
６７  内側肩部
６８  移行部
６９  外側肩部
７０  スプリング
７２  肩部
７４  開口
８０  絶縁中心支持体
８２  ボア
８４  外側リム要素
９０  環状隆起部（フレア部）
９２  スプリングフィンガー
９３  スロット
９６  後端部
９８  前端部
１００  環状隆起部
１０２  内側肩部
１０４  環状突起
１２０  コネクター本体
１２２  クランプ要素
１２４，１２６  留め具
１２７  ボア
１２８  表面
【図１】
2020533736.tif 000003
【図２Ａ】
2020533736.tif 000004
【図２Ｂ】
2020533736.tif 000005
【図３】
2020533736.tif 000006
【図４Ａ】
2020533736.tif 000007
【図４Ｂ】
2020533736.tif 000008
【図５】
2020533736.tif 000009
【国際調査報告】
2020533736.tif 000010
2020533736.tif 000011
2020533736.tif 000012